(57)【要約】  ローミングしている移動端末へのパケット配送に比べ、ホーム網に接続している移動端末へのパケット配送に関わるノード数を削減でき、ユーザが要求するサービス形態の変化に対応して、サービスに応じたアンカーノードへの動的な切替えを可能とする移動管理通信システムを提供する。  上位位置管理手段１２１は、ホームリンク１１１に存在する移動端末１８１が外部リンク１１２へハンドオーバしたとき、パケット代理受信処理を実行する権限を下位位置管理手段１４１から剥奪して下位位置管理手段１４２へ付与することにより、アンカーノードを動的に切り替える。
2007135844.tif 000002
【特許請求の範囲】
【請求項１】
通信機能を備えホームネットワーク上のＩＰアドレスを保持する移動端末と、
前記移動端末の前記ＩＰアドレスと下位位置管理手段及び下位パケット転送手段のアドレスのバインディング情報を管理する機能、及び前記移動端末の位置情報を管理する機能を有する上位位置管理手段と、
前記移動端末の前記ＩＰアドレスと前記移動端末の位置情報のバインディング情報を管理する機能、及び前記移動端末の位置情報を前記上位位置管理手段に登録する機能を有する前記下位位置管理手段と、
前記下位位置管理手段により管理されたバインディング情報に基づいて前記移動端末の前記ＩＰアドレス宛のパケットを前記移動端末の位置情報へ転送する機能、及び前記移動端末の前記ＩＰアドレス宛のパケットを代理受信する機能を有する前記下位パケット転送手段と、から構成される移動通信管理システムであって、
前記上位位置管理手段は、前記下位位置管理手段に対して、前記移動端末の前記ＩＰアドレスごとにパケット代理受信処理を実行する権限であるパケット受信権限の付与及び剥奪を行って、アンカーノードを動的に切り替えることを特徴とする移動通信管理システム。
【請求項２】
前記上位位置管理手段は、前記下位位置管理手段による前記移動端末の位置情報の登録を受けて、前記登録前に管理された前記下位位置管理手段のアドレスから前記登録後の前記下位位置管理手段のアドレスへの変更を検知し、前記登録前の前記下位位置管理手段から前記パケット受信権限を剥奪し、前記登録後の前記下位位置管理手段へ前記パケット受信権限を付与することを特徴とする請求項１に記載の移動通信管理システム。
【請求項３】
前記下位位置管理手段は、前記下位パケット転送手段へのパケット代理受信制御を行う機能を有し、
前記パケット代理受信制御は、前記下位パケット転送手段に対して、パケット代理受信の設定及び該設定の解除を行わせる制御を含むことを特徴とする請求項２に記載の移動通信管理システム。
【請求項４】
前記下位位置管理手段は、前記上位位置管理手段により前記パケット受信権限の剥奪が行われた後に、前記下位パケット転送手段に対して、前記パケット代理受信設定の解除を行わせることを特徴とする請求項３に記載の移動通信管理システム。
【請求項５】
前記上位位置管理手段は、前記下位パケット転送手段により前記パケット代理受信設定の解除が行われた後に、前記下位位置管理手段へ前記パケット受信権限を付与することを特徴とする請求項４に記載の移動通信管理システム。
【請求項６】
前記下位位置管理手段は、前記上位位置管理手段により前期パケット受信権限の付与が行われた後に、前記下位パケット転送手段に対して、前記パケット代理受信の設定を行わせることを特徴とする請求項５に記載の移動通信管理システム。
【請求項７】
通信機能を備えホームネットワーク上のＩＰアドレスを保持する移動端末と、
前記移動端末の前記ＩＰアドレスと下位位置管理手段及び下位パケット転送手段のアドレスのバインディング情報を管理する機能、及び前記移動端末の位置情報を管理する機能を有する上位位置管理手段と、
前記下位パケット転送手段へ前記移動端末の前記ＩＰアドレス宛のパケットを転送する機能、及び前記移動端末の前記ＩＰアドレス宛のパケットを代理受信する機能を有する上位パケット転送手段と、
前記移動端末の前記ＩＰアドレスと前記移動端末の位置情報のバインディング情報を管理する機能、及び前記移動端末の位置情報を前記上位位置管理手段に登録する機能を有する前記下位位置管理手段と、
前記下位位置管理手段により管理されたバインディング情報に基づいて前記移動端末の前記ＩＰアドレス宛のパケットを前記移動端末の位置情報へ転送する機能、及び前記移動端末の前記ＩＰアドレス宛のパケットを代理受信する機能を有する前記下位パケット転送手段と、から構成される移動通信管理システムであって、
前記上位位置管理手段は、前記下位位置管理手段に対して、前記移動端末の前記ＩＰアドレスごとにパケット代理受信処理を実行する権限であるパケット受信権限の付与及び剥奪を行って、アンカーノードを動的に切り替えることを特徴とする移動通信管理システム。
【請求項８】
前記上位位置管理手段及び前記上位パケット転送手段は、ホームネットワーク上に存在することを特徴とする請求項７に記載の移動通信管理システム。
【請求項９】
前記上位位置管理手段は、前記下位位置管理手段による前記移動端末の位置情報の登録を受けて、前記登録前に管理された前記ホームネットワーク上の前記下位位置管理手段のアドレスから外部ネットワーク上に存在する前記登録後の前記下位位置管理手段のアドレスへ変更したことを検知した場合、前記登録前の前記ホームネットワーク上の前記下位位置管理手段から前記パケット受信権限を剥奪し、前記ホームネットワーク内において前記登録前の前記下位位置管理手段のアドレスから前記登録後の前記下位位置管理手段のアドレスへ変更したことを検知した場合、前記登録前の前記下位位置管理手段から前記パケット受信権限を剥奪し、前記登録後の前記下位位置管理手段へ前記パケット受信権限を付与することを特徴とする請求項８に記載の移動通信管理システム。
【請求項１０】
前記上位位置管理手段は、前記下位位置管理手段による前記移動端末の位置情報の登録を受けて、前記登録後の前記下位位置管理手段のアドレスがホームネットワーク上に存在することを検知し、前記登録後の前記下位位置管理手段へ前記パケット受信権限を付与することを特徴とする請求項９に記載の移動通信管理システム。
【請求項１１】
前記上位位置管理手段は、前記上位パケット転送手段へのパケット代理受信制御を行う機能を有し、
前記下位位置管理手段は、前記下位パケット転送手段へのパケット代理受信制御を行う機能を有し、
前記パケット代理受信制御は、前記上位パケット転送手段及び前記下位パケット転送手段に対して、パケット代理受信の設定及び該設定の解除を行わせる制御を含むことを特徴とする請求項１０に記載の移動通信管理システム。
【請求項１２】
前記下位位置管理手段は、前記上位位置管理手段により前記パケット受信権限の剥奪が行われた後に、前記下位パケット転送手段に対して、前記パケット代理受信設定の解除を行わせることを特徴とする請求項１１に記載の移動通信管理システム。
【請求項１３】
前記上位位置管理手段は、前記下位パケット転送手段により前記パケット代理受信設定の解除が行われた後に、上位パケット転送機能に対して前記パケット代理受信の設定を行わせ、あるいは、前記下位位置管理手段へ前記パケット受信権限を付与して前記下位パケット転送手段に対して前記パケット代理受信の設定を行わせることを特徴とする請求項１２に記載の移動通信管理システム。
【発明の詳細な説明】
【技術分野】
【０００１】
本発明は、移動通信管理システムに関し、特に、移動端末の位置情報に応じて、移動端末のＩＰアドレスごとにパケット代理受信処理を実行する権限の付与及び剥奪を行うことで、より適切なアンカーノードへの動的な切替えが可能な移動通信管理システムに関するものである。
【背景技術】
【０００２】
従来、移動通信管理の階層化は、モビリティアンカーノードへ行う位置登録用の制御信号のＲｏｕｎｄ  Ｔｒｉｐ  Ｔｉｍｅの削減や、モビリティアンカーノードや通信相手への制御信号数の削減の観点から有効である。この種の階層化移動通信管理システムは、非特許文献１に示すように、移動端末が在圏網やホーム網のアンカーノード（以下、それぞれ在圏アンカーノード及びホームアンカーノードという）に位置登録を行うことより、階層化した移動通信管理を実現している。【０００３】
しかし、上記の方式は、経路最適化時において通信相手に在圏アンカーノードレベルで位置情報を知られてしまうことや、在圏網内の最適経路設定用の制御信号を削減する観点から、図１に示すような、Ｍｏｂｉｌｅ  ＩＰｖ６（Internet Protocol version 6）のＭｏｂｉｌｅ  Ｎｏｄｅ機能をＡＲ（Access Router）に移植し、かつ、ＨＡ（Home Agent）〜ＭＡＰ（Mobility Anchor Point）間及びＭＡＰ〜ＡＲ間で個別にトンネルを張る、いわゆる階層化エッジモビリティ方式が提案されている。【０００４】
ここで、ホームアンカーノードとは、移動端末のＩＰアドレスと移動端末が在圏する在圏アンカーノードに帰属したＩＰアドレスとの対応関係（バインディング情報）を管理する機能、及び移動端末のＩＰアドレス宛のパケットを捕捉し、在圏アンカーノードに帰属したＩＰアドレス宛にカプセル化して転送する機能を具備するノードを示す。また、在圏アンカーノードとは、移動端末のＩＰアドレスと移動端末が在圏するアクセスルータに帰属したＩＰアドレスとの対応関係を管理する機能、及び移動端末のＩＰアドレス宛のパケットをアクセスルータに帰属したＩＰアドレス宛にカプセル化して転送する機能を具備するノードを示す。例えば、ホームアンカーノードとしてはＭｏｂｉｌｅ  ＩＰｖ６あるいはＭｏｂｉｌｅ  ＩＰｖ４のＨＡが、在圏アンカーノードとしてはＨＭＩＰｖ６（Hierarchical Mobile Ipv6）のＭＡＰが挙げられる。【０００５】
図１に示す階層化エッジモビリティ方式の移動管理システムは、移動端末６１や移動端末６２のモバイルネットワーク１０内における移動を管理するシステムで、ＨＡ２１と、ＭＡＰ３１及び３２と、ＡＲ４１及び４２と、ＧＷ５１及び５２とから構成されている。モバイルネットワーク１０は、ホーム網１１と在圏網１２から構成される。【０００６】
ＨＡ２１、ＭＡＰ３１、ＡＲ４１、ＧＷ５１はホーム網１１に存在し、ＭＡＰ３２、ＡＲ４２、ＧＷ５２は在圏網１２に存在する。ＭＡＰ３１及び３２は、ＨＡ２１に対するＭｏｂｉｌｅ  Ｎｏｄｅ機能と、ＡＲ４１及び４２に対するＨｏｍｅ  Ａｇｅｎｔ機能を具備する。また、ＡＲ４１及び４２は、ＭＡＰ３１及び３２をＨｏｍｅ  ＡｇｅｎｔとするＭｏｂｉｌｅ  Ｎｏｄｅ機能を具備する。ＧＷ５１及び５２は、モバイルネットワーク１０内の端末が外部網に存在する端末と通信する際のゲートウェイで、ファイアーウォール機能を具備する。移動端末６１及び６２は、ともにＨＡ２１に帰属するＩＰアドレスを保持する端末であり、それぞれホーム網１１、在圏網１２に接続している。【０００７】
このような構成を有する従来の移動管理システムは次のように動作する。移動端末が起動した後にモバイルネットワークに接続する初期登録手順では、ＨＡは、移動端末の位置登録要求をＡＲ、ＭＡＰを介して受信すると、位置登録要求信号に含まれる移動端末のＩＰアドレスを捕捉するため、ＨＡが接続しているリンク上に存在する全てのノードに対して、移動端末のＩＰアドレス宛のパケットがあればＨＡのＭＡＣアドレス宛に送信するように近隣キャッシュ変更要求を送信する。なお、上記のように、実際にＩＰアドレスを割り当てられているノードに代わって別のノードが代理でパケットを捕捉するための機構は、ＩＰｖ４であればＰｒｏｘｙ  ＡＲＰ（Address Resolution Protocol）で、ＩＰｖ６であればＰｒｏｘｙ  ＮＤＰ（Neighbor Discovery Protocol）で実現される。【０００８】
上記の処理がなされた後、ＨＡは、移動端末のＩＰアドレス宛のパケットを捕捉するとともに、移動端末と同じＩＰアドレスの使用を試みるノードに対して、そのＩＰアドレスの使用を抑制する。そして、移動端末宛のパケットがホーム網に届くと、ＨＡ、ＭＡＰ、ＡＲのそれぞれが管理する位置情報に従い、ＨＡ、ＭＡＰ、ＡＲの順で転送され移動端末へと配送される。【０００９】
上述した仕組みは、移動端末がホーム網に接続していても、在圏網に接続していても変わらない。そして、図１においては、パケット配送ルート７１は、移動端末６１がホーム網１１に接続しているときのパケット配送ルートを示し、パケット配送ルート７２は、移動端末６２が在圏網１２に接続しているときのパケット配送ルートを示している。【００１０】
しかし、実システムにおいては、ホーム網にあるＨＡとＭＡＰは近隣に配備されるため、移動端末がホーム網に接続している際には、ＨＡ〜ＭＡＰ間のパケット転送処理は冗長となってしまう。【００１１】
例えば、特許文献１では、移動端末の識別子を管理するホームエージェントサーバと、複数のＩＰトンネルルータとから構成され、ＨＡを経由しないパケット転送を行う移動体ネットワークが開示されている。当該移動体ネットワークでは、ホームエージェントサーバが、移動端末と送信先情報を指定するＩＰトンネル設定情報を複数のＩＰトンネルルータに配信し、各々のＩＰトンネルルータは、移動端末を送信先とするＩＰパケットを受信すると、ＩＰトンネル設定情報に基づいてＩＰパケットを転送する。
【特許文献１】ＷＯ２００３／０７１７４９号公報
【非特許文献１】Ｈ．Ｓｏｌｉｍａｎ他、"Ｈｉｅｒａｒｃｈｉｃａｌ  Ｍｏｂｉｌｅ  ＩＰｖ６  Ｍｏｂｉｌｉｔｙ  Ｍａｎａｇｅｍｅｎｔ  （ＨＭＩＰｖ６）"、［ｏｎ−ｌｉｎｅ］、ＩＥＴＦ、［２００６年２月１０日検索］、インターネット＜ｈｔｔｐ：／／ｗｗｗ．ｉｅｔｆ．ｏｒｇ／ｒｆｃ／ｒｆｃ４１４０．ｔｘｔ＞
【発明の開示】
【発明が解決しようとする課題】
【００１２】
第１の問題点は、ホーム網に接続している移動端末が通信を行うときのパケット通信経路に介在するノードが冗長であることである。その理由は、移動端末がホーム網に接続しているときにはＨＡとＭＡＰが近隣にあるにも関わらず、ホーム網に入ってきたパケットを捕捉するノードがＨＡのみであるため、ＨＡ経由でしかＭＡＰへパケットを転送できない点にある。【００１３】
また、第２の問題点は、異種アクセス網間のハンドオーバによるアクセス方式の変更等によって、ユーザに提供するサービスが変わった場合に、網側で変更後のサービスに合った機能を具備したアンカーノードに切り替えることができないことである。特許文献１で開示された移動体ネットワークは、アンカーノードをアクセスルータに分散して配備することによって、ＨＡを経由することなくパケット転送を行うものであり、アンカーノードの切替えに関するものではない。【００１４】
そこで、本発明は、ローミングしている移動端末へのパケット配送に比べ、ホーム網に接続している移動端末へのパケット配送に関わるノード数を削減でき、ユーザが要求するサービス形態の変化に対応して、サービスに応じたアンカーノードへの動的な切替えを可能とする移動管理通信システムを提供することを目的とする。
【課題を解決するための手段】
【００１５】
かかる目的を達成するために、本発明は、通信機能を備えホームネットワーク上のＩＰアドレスを保持する移動端末と、前記移動端末の前記ＩＰアドレスと下位位置管理手段及び下位パケット転送手段のアドレスのバインディング情報を管理する機能、及び前記移動端末の位置情報を管理する機能を有する上位位置管理手段と、前記移動端末の前記ＩＰアドレスと前記移動端末の位置情報のバインディング情報を管理する機能、及び前記移動端末の位置情報を前記上位位置管理手段に登録する機能を有する前記下位位置管理手段と、前記下位位置管理手段により管理されたバインディング情報に基づいて前記移動端末の前記ＩＰアドレス宛のパケットを前記移動端末の位置情報へ転送する機能、及び前記移動端末の前記ＩＰアドレス宛のパケットを代理受信する機能を有する前記下位パケット転送手段と、から構成される移動通信管理システムであって、前記上位位置管理手段は、前記下位位置管理手段に対して、前記移動端末の前記ＩＰアドレスごとにパケット代理受信処理を実行する権限であるパケット受信権限の付与及び剥奪を行って、アンカーノードを動的に切り替えることを特徴とする移動通信管理システムである。【００１６】
本発明は、移動端末、上位位置管理手段、下位位置管理手段、及び下位パケット転送手段から構成される移動通信管理システムで、上位位置管理手段が移動端末のＩＰアドレスごとにパケット代理受信処理を実行する権限を付与及び剥奪する機能を有して、アンカーノードを動的に切り替えることが最大の特徴である。当該パケット代理受信処理の実行権限を付与及び剥奪する機能を有することにより、例えば、ホームネットワーク内に複数の下位パケット転送手段が配備される場合には、移動端末の位置や移動端末に提供されるサービスに応じて、最適な下位パケット転送手段へパケット代理受信の実行権限を付与することができ、位置やサービスに応じたアンカーノードへの動的な切替えが可能となる。【００１７】
また、本発明は、通信機能を備えホームネットワーク上のＩＰアドレスを保持する移動端末と、前記移動端末の前記ＩＰアドレスと下位位置管理手段及び下位パケット転送手段のアドレスのバインディング情報を管理する機能、及び前記移動端末の位置情報を管理する機能を有する上位位置管理手段と、前記下位パケット転送手段へ前記移動端末の前記ＩＰアドレス宛のパケットを転送する機能、及び前記移動端末の前記ＩＰアドレス宛のパケットを代理受信する機能を有する上位パケット転送手段と、前記移動端末の前記ＩＰアドレスと前記移動端末の位置情報のバインディング情報を管理する機能、及び前記移動端末の位置情報を前記上位位置管理手段に登録する機能を有する前記下位位置管理手段と、前記下位位置管理手段により管理されたバインディング情報に基づいて前記移動端末の前記ＩＰアドレス宛のパケットを前記移動端末の位置情報へ転送する機能、及び前記移動端末の前記ＩＰアドレス宛のパケットを代理受信する機能を有する前記下位パケット転送手段と、から構成される移動通信管理システムであって、前記上位位置管理手段は、前記下位位置管理手段に対して、前記移動端末の前記ＩＰアドレスごとにパケット代理受信処理を実行する権限であるパケット受信権限の付与及び剥奪を行って、アンカーノードを動的に切り替えることを特徴とする移動通信管理システムであってもよい。【００１８】
本発明は、移動端末、上位位置管理手段、上位パケット転送手段、下位位置管理手段、及び下位パケット転送手段から構成される移動通信管理システムで、上位位置管理手段が移動端末のＩＰアドレスごとにパケット代理受信処理を実行する権限を付与及び剥奪する機能を有して、アンカーノードを動的に切り替えることが最大の特徴である。当該パケット代理受信処理の実行権限を付与及び剥奪する機能を有することにより、例えば、ホームネットワーク内に上位パケット転送手段と下位パケット転送手段とが配備され、移動端末が外部ネットワークからホームネットワークに移動した場合には、下位パケット転送手段へパケット代理受信の実行権限を付与して、上位パケット転送手段でなされていたパケット代理受信を下位パケット転送手段に行わせることができ、ホーム網に接続している移動端末へのパケット配送に関わるノード数を削減することが可能となる。
【発明の効果】
【００１９】
本発明によれば、ローミングしている移動端末へのパケット配送に比べ、ホーム網に接続している移動端末へのパケット配送に関わるノード数を削減でき、ユーザが要求するサービス形態の変化に対応して、サービスに応じたアンカーノードへの動的な切替えを可能とする移動管理通信システムが実現される。
【発明を実施するための最良の形態】
【００２０】
発明を実施するための最良の形態について、図面を参照しながら詳細に説明する。【００２１】
＜実施形態１＞
本発明の第１の実施形態について、図２〜４を参照して説明する。図２は、本実施形態の移動通信管理システムの構成を示した図である。本実施形態の移動通信管理システムは、上位位置管理手段１２１と、上位パケット転送手段１３１と、下位位置管理手段１４１及び１４２と、下位パケット転送手段１５１及び１５２と、ＧＷ手段１６１及び１６２と、ＡＲ手段１７１及び１７２と、移動端末１８１及び１８２とから構成されている。これら構成要素により最上位ネットワーク１１０を構成し、さらに最上位ネットワーク１１０は、ホームリンク１１１と外部リンク１１２で構成される。ここでリンクとはサブネットを共有したネットワークを意味している。【００２２】
上位位置管理手段１２１、上位パケット転送手段１３１、下位位置管理手段１４１、下位パケット転送手段１５１、及びＧＷ手段１６１は、ホームリンク１１１に存在する。また、下位位置管理手段１４２、下位パケット転送手段１５２、及びＧＷ手段１６２は、外部リンク１１２に存在する。【００２３】
上位位置管理手段１２１は、移動端末１８１及び１８２のＩＰアドレスと移動端末１８１及び１８２を管理している下位位置管理手段１４１及び１４２と下位パケット転送手段１５１及び１５２のバインディング情報を管理する機能を有する。また、上位位置管理手段１２１は、上位パケット転送手段１３１への経路制御を行う機能と、上位パケット転送手段１３１へのパケット代理受信制御を行う機能と、下位位置管理手段１４１及び１４２にパケット代理受信権限の付与／剥奪を行う機能とを具備する。【００２４】
上位パケット転送手段１３１は、移動端末１８１及び１８２のＩＰアドレス宛のパケットを下位パケット転送手段１５１及び１５２へカプセル化して転送する機能と、移動端末１８１及び１８２のＩＰアドレス宛のパケットを代理受信する機能とを具備する。【００２５】
下位位置管理手段１４１及び１４２は、移動端末１８１及び１８２のＩＰアドレスと移動端末１８１及び１８２の接続しているＡＲ手段１７１及び１７２のバインディング情報を管理する機能を有する。また、下位位置管理手段１４１及び１４２は、上位位置管理手段１２１に移動端末１８１及び１８２の位置情報を登録する機能と、下位パケット転送手段１５１への経路制御を行う機能と、下位パケット転送手段１５１へのパケット代理受信制御を行う機能とを具備する。【００２６】
下位パケット転送手段１５１及び１５２は、移動端末１８１及び１８２から送信されたパケットを上位パケット転送手段１３１へカプセル化して転送する機能と、移動端末１８１及び１８２のＩＰアドレス宛のパケットをＡＲ手段１７１及び１７２へ転送する機能と、移動端末１８１及び１８２のＩＰアドレス宛のパケットを代理受信する機能とを具備する。【００２７】
ＧＷ手段１６１及び１６２は、最上位ネットワーク１１０に接続している移動端末１８１及び１８２が外部網に存在する端末と通信する際のゲートウェイで、ファイアーウォール機能を具備する。【００２８】
ＡＲ手段１７１及び１７２は、下位位置管理手段１４１及び１４２に移動端末１８１及び１８２の位置情報を登録する機能と、移動端末１８１及び１８２から送信されたパケットを下位パケット転送手段１５１及び１５２へカプセル化して転送する機能と、移動端末１８１及び１８２のＩＰアドレス宛のパケットを移動端末１８１及び１８２へ転送する機能とを具備する。【００２９】
移動端末１８１及び１８２は、ともにホームリンク１１１と同じプリフィクスを持つＩＰアドレスを保持する端末であり、それぞれホームリンク１１１、外部リンク１１２に接続している。【００３０】
次に、図３、図４を参照して本実施形態における全体の動作について詳細に説明する。図３は、本実施形態の移動通信管理システムにおける移動端末の位置登録動作の流れを示したシーケンス図で、ホームリンク１１１に接続している移動端末１８１が下位位置管理手段１４１を介して上位位置管理手段１２１に位置登録を行う手順を表している。【００３１】
まず、移動端末１８１がＡＲ手段１７１に接続すると、ＡＲ手段１７１は、下位位置管理手段１４１に対して、移動端末１８１のＩＰアドレスとＡＲ手段１７１のアドレスのバインディング情報を含んだ位置登録要求を送信する。【００３２】
下位位置管理手段１４１は、位置登録要求を受信した後、移動端末１８１のＩＰアドレスとＡＲ手段１７１のアドレスのバインディング情報についてのキャッシュを生成し、上位位置管理手段１２１に対して、移動端末１８１のＩＰアドレスと下位位置管理手段１４１及び下位パケット転送手段１５１のアドレスのバインディング情報を含んだ位置登録要求を送信する。【００３３】
上位位置管理手段１２１は、位置登録要求を受信した後、移動端末１８１のＩＰアドレスと下位位置管理手段１４１及び下位パケット転送手段１５１のアドレスのバインディング情報についてのキャッシュを生成する。上位位置管理手段１２１は、上位パケット転送手段１３１のプリフィクスと下位パケット転送手段１５１のプリフィクスとを比較して、下位パケット転送手段１５１が上位パケット転送手段１３１と同じホームリンク１１１にあると判断すると、下位位置管理手段１４１に対してパケット受信権利付与メッセージを送信する。【００３４】
下位位置管理手段１４１は、パケット受信権利付与メッセージを受信した後、パケット受信準備要求を下位パケット転送手段１５１に送信して、移動端末１８１宛のパケットのキャプチャ（受信）準備を行わせる。下位パケット転送手段１５１は、パケット受信準備が完了すると、下位位置管理手段１４１へパケット受信準備応答を送信し、該応答を受信した下位位置管理手段１４１は、上位位置管理手段１２１に対して、パケット受信権利付与確認メッセージを送信し、パケット受信準備が完了したことを通知する。【００３５】
上位位置管理手段１２１は、パケット受信権利付与確認メッセージを受信した後、下位位置管理手段１４１へ位置登録応答を送信し、移動端末１８１の位置登録が完了したことを通知する。【００３６】
下位位置管理手段１４１は、位置登録応答を受信した後、下位パケット転送手段１５１に対して、経路設定要求を送信し、移動端末１８１宛のパケットをＡＲ手段１７１宛にカプセル化して転送するように経路設定を行わせる。下位パケット転送手段１５１は、経路設定が完了した後、下位位置管理手段１４１へ経路設定応答を送信し、該応答を受信した下位位置管理手段１４１は、位置登録応答をＡＲ手段１７１へ送信して位置登録手順が完了する。【００３７】
上記手順により、ホームリンク１１１宛に届いた移動端末１８１宛のパケットは、上位パケット転送手段１２１を介することなく移動端末１８１へ転送することができる。【００３８】
図４は、本実施形態の移動通信管理システムにおける移動端末の位置登録動作の流れを示したシーケンス図で、ホームリンク１１１に接続していた移動端末１８２が外部リンク１１２にハンドオーバし、下位位置管理手段１４２を介して上位位置管理手段１２１に位置登録を行う手順を表している。【００３９】
まず、移動端末１８２がＡＲ手段１７２に接続すると、ＡＲ手段１７２は、下位位置管理手段１４２に対して、移動端末１８２のＩＰアドレスとＡＲ手段１７２のアドレスのバインディング情報を含んだ位置登録要求を送信する。【００４０】
下位位置管理手段１４２は、位置登録要求を受信した後、移動端末１８２のＩＰアドレスとＡＲ手段１７２のアドレスのバインディング情報についてのキャッシュを生成し、上位位置管理手段１２１に対して、移動端末１８２のＩＰアドレスと下位位置管理手段１４２及び下位パケット転送手段１５２のアドレスのバインディング情報を含んだ位置登録要求を送信する。【００４１】
上位位置管理手段１２１は、位置登録要求を受信した後、移動端末１８２のキャッシュ内容を、移動端末１８１のＩＰアドレスと下位位置管理手段１４２及び下位パケット転送手段１５２のアドレスのバインディング情報に変更する。上位位置管理手段１２１は、上位パケット転送手段１３１のプリフィクスと下位パケット転送手段１５２のプリフィクスとを比較して、下位パケット転送手段１５２が上位パケット転送手段１３１と異なる外部リンク１１２にあると判断すると、それまで移動端末１８２宛のパケットをキャプチャしていた下位パケット転送手段１５１のパケット受信設定を解除するため、下位位置管理手段１４１へパケット受信権利剥奪メッセージを送信する。【００４２】
下位位置管理手段１４１は、パケット受信権利剥奪メッセージを受信した後、下位パケット転送手段１５１に対して、パケット受信準備削除要求を送信し、パケット受信設定解除を行わせる。下位パケット転送手段１５１は、パケット受信設定解除が完了した後、下位位置管理手段１４１へパケット受信準備削除応答を送信し、該応答を受信した下位位置管理手段１４１は、上位位置管理手段１２１にパケット受信権利剥奪確認メッセージを送信する。【００４３】
上位位置管理手段１２１は、パケット受信権利剥奪確認メッセージを受信した後、上位パケット転送手段１３１にパケット受信準備要求を送信して、移動端末１８２宛のパケットのキャプチャ準備を行わせる。上位パケット転送手段１３１は、パケット受信準備が完了した後、上位位置管理手段１２１へパケット受信準備応答を送信し、該応答を受信した上位位置管理手段１２１は、上位パケット転送手段１３１に対して、経路設定要求を送信し、移動端末１８２宛のパケットを下位パケット転送手段１５２宛にカプセル化して送信するように経路設定を行わせる。上位パケット転送手段１３１は、経路設定が完了した後、上位位置管理手段１２１へ経路設定応答を送信し、該応答を受信した上位位置管理手段１２１は、下位位置管理手段１４２に位置登録応答を送信する。【００４４】
下位位置管理手段１４２は、位置登録応答を受信した後、下位パケット転送手段１５２に対して、経路設定要求を送信し、移動端末１８２宛のパケットをＡＲ手段１７２宛にカプセル化して転送する設定と、移動端末１８２から送信されたパケットを上位パケット転送手段１３１宛にカプセル化して転送する設定の２種類の経路設定を行わせる。下位パケット転送手段１５２は、経路設定が完了した後、下位位置管理手段１４２へ経路設定応答を送信し、該応答を受信した下位位置管理手段１４２がＡＲ手段１７２へ位置登録応答を送信することで位置登録手順が完了する。【００４５】
上記手順により、ホームリンク１１１宛に届いた移動端末１８２宛のパケットは、上位パケット転送手段１３１を介して移動端末１８２に転送することができる。【００４６】
（効果）
本実施形態では、上位パケット転送手段及び下位パケット転送手段がともにホームリンクに配備され、上位位置管理手段は、移動端末の位置に応じて、移動端末宛のパケットをキャプチャする権利を上位パケット転送手段と下位パケット転送手段とに与えるため、ホームリンクに配備されている下位位置管理手段によって移動端末が位置管理されている場合には、上位パケット転送手段を介することなく移動端末宛にパケットを転送することが可能となる。【００４７】
＜実施形態２＞
次に、本発明の第２の実施形態について、図５、図６を参照して説明する。実施形態１との違いは、ホームリンク１１１に上位パケット転送手段がなく、また、ホームリンク１１１に下位位置管理手段及び下位パケット転送手段が複数配備されている点にある。【００４８】
図５は、本実施形態の移動通信管理システムの構成を示した図である。本実施形態の移動通信管理システムは、上位位置管理手段１２１と、下位位置管理手段１４１及び１４２と、下位パケット転送手段１５１及び１５２と、ＧＷ手段１６１と、ＡＲ手段１７１及び１７２と、移動端末１８１とから構成されている。これら構成要素により最上位ネットワーク１１０を構成し、さらに最上位ネットワーク１１０はホームリンク１１１で構成される。【００４９】
上位位置管理手段１２１と、下位位置管理手段１４１及び１４２と、下位パケット転送手段１５１及び１５２と、ＧＷ手段１６１とは、ホームリンク１１１に存在する。【００５０】
上位位置管理手段１２１は、移動端末１７１及び１７２を管理している下位位置管理手段１４１及び１４２と下位パケット転送手段１５１及び１５２のバインディング情報と、移動端末１８１、１８２のＩＰアドレスとを管理する機能を有する。また、上位位置管理手段１２１は、上位パケット転送手段１３１へのパケット代理受信制御を行う機能と、下位位置管理手段１４１及び１４２にパケット代理受信権限の付与／剥奪を行う機能とを具備する。【００５１】
なお、下位位置管理手段１４１及び１４２、下位パケット転送手段１５１及び１５２、ＧＷ手段１６１、そしてＡＲ手段１７１及び１７２の具備する機能については、実施形態１と同じである。【００５２】
次に、図６を参照して本実施形態における全体の動作について詳細に説明する。図６は、本実施形態の移動通信管理システムにおける移動端末のハンドオーバの流れを示したシーケンス図で、ホームリンク１１１に接続している移動端末１８１がＡＲ手段１７１からＡＲ機能１７２にハンドオーバを行う手順を表している。【００５３】
まず、移動端末１８１がＡＲ手段１７２に接続すると、ＡＲ手段１７２は下位位置管理手段１４２に移動端末１８１のＩＰアドレスとＡＲ手段１７２のアドレスのバインディング情報を含んだ位置登録要求を送信する。【００５４】
下位位置管理手段１４２は、位置登録要求を受信した後、移動端末１８１のＩＰアドレスとＡＲ手段１７２のアドレスのバインディング情報についてのキャッシュを生成し、上位位置管理手段１２１に移動端末１８１のＩＰアドレスと下位位置管理手段１４２及び下位パケット転送手段１５２のアドレスのバインディング情報を含んだ位置登録要求を送信する。【００５５】
上位位置管理手段１２１は、位置登録要求を受信した後、移動端末１８１のキャッシュ内容を、移動端末１８１のＩＰアドレスと下位位置管理手段１４２及び下位パケット転送手段１５２のアドレスのバインディング情報に変更する。上位位置管理手段１２１は、位置登録要求受信前にキャッシュに登録されていた下位パケット転送手段１５１のアドレスと、位置登録要求受信後にキャッシュに登録されている下位パケット転送手段１５２のアドレスとを比較して、位置登録要求受信前後で下位パケット転送手段が変わったことを検知すると、下位位置管理手段１４１にパケット受信権利剥奪メッセージを送信する。【００５６】
下位位置管理手段１４１は、パケット受信権利剥奪メッセージを受信した後、下位パケット転送手段１５１に対して、パケット受信準備削除要求を送信し、パケット受信設定の解除を行わせる。下位パケット転送手段１５１は、パケット受信設定を解除した後、下位位置管理手段１４１へパケット受信準備削除応答を送信し、該応答を受信した下位位置管理手段１４１は、上位位置管理手段１２１にパケット受信権利剥奪確認メッセージを送信する。【００５７】
上位位置管理手段１２１は、パケット受信権利剥奪確認メッセージを受信した後、続いて下位位置管理手段１４２にパケット受信権利付与メッセージを送信する。【００５８】
下位位置管理手段１４２は、パケット受信権利付与メッセージを受信した後、パケット受信準備要求を下位パケット転送手段１５２に送信して、移動端末１８１宛のパケットのキャプチャ準備を行わせる。下位パケット転送手段１５２は、パケット受信準備が完了した後、下位位置管理手段１４２へパケット受信準備応答を送信し、該応答を受信した下位位置管理手段１４２は、上位位置管理手段１２１にパケット受信権利付与確認メッセージを送信してパケット受信準備が完了したことを通知する。【００５９】
上位位置管理手段１２１は、パケット受信権利付与確認メッセージを受信した後、下位位置管理手段１４２に位置登録応答を送信し、移動端末１８１の位置登録が完了したことを通知する。【００６０】
下位位置管理手段１４２は、位置登録応答を受信した後、下位パケット転送手段１５２に対して、経路設定要求を送信し、移動端末１８１宛のパケットをＡＲ手段１７２宛にカプセル化して送信するように経路設定を行わせる。下位パケット転送手段１５２は、経路設定が完了した後、下位位置管理手段１４２へ経路設定応答を送信し、該応答を受信した下位位置管理手段１４２がＡＲ手段１７２に位置登録応答を送信することで位置登録手順が完了する。【００６１】
上記手順により、ホームリンク１１１宛に届いた移動端末１８１宛のパケットは、下位パケット転送手段１５１を介することなく移動端末１８１に転送することができる。【００６２】
（効果）
本実施形態では、複数の下位パケット転送手段がともにホームリンクに配備され、上位位置管理手段は、下位位置管理手段間で連携を必要とすることなく、移動端末の位置に応じて、移動端末宛のパケットをキャプチャする権利を最適な下位パケット転送手段に与えるため、ホームリンクが大規模化して複数の下位パケット転送手段の配備が必要になった場合や、移動端末に提供するサービスごとに下位パケット転送手段を配備する場合等において、自由に下位パケット転送手段を配備することが可能となる。
【実施例１】
【００６３】
次に、本発明の第１の実施例について、図７〜９を参照して説明する。本実施例は、上述した実施形態１に対応し、同実施形態をさらに詳細に説明するためのものである。【００６４】
図７は、本実施例の移動通信管理システムの構成を示した図である。本実施例の移動通信管理システムは、ＨＡ２２１と、ＭＡＰ２４１及び２４２と、ＡＲ２７１及び２７２と、ＧＷ２６１及び２６２と、移動端末１８１及び１８２とから構成されている。これら構成要素によりモバイルネットワーク１０を構成し、さらにモバイルネットワーク１０は、ホームリンク１１１と外部リンク１１２とから構成される。ここでリンクとはサブネットを共有したネットワークを意味している。【００６５】
ＨＡ２２１、ＭＡＰ２４１、及びＧＷ２６１は、ホームリンク１１１に存在し、ＭＡＰ２４２及びＧＷ２６２は、外部リンク１１２に存在する。【００６６】
ＨＡ２２１は、実施形態１における上位位置管理手段１２１及び上位パケット転送手段１３１の機能を併せ持ったノードである。そして、ＨＡ２２１は、移動端末１８１及び１８２のＩＰアドレスと移動端末１８１及び１８２を管理しているＭＡＰ２４１及び２４２のアドレスのバインディング情報を管理する機能と、ＭＡＰ２４１及び２４２にパケット代理受信権限の付与／剥奪を行う機能と、移動端末１８１及び１８２のＩＰアドレス宛のパケットをＭＡＰ２４１及び２４２へカプセル化して転送する機能と、移動端末１８１及び１８２のＩＰアドレス宛のパケットを代理受信する機能とを具備する。【００６７】
ＭＡＰ２４１及び２４２は、実施形態１における下位位置管理手段１４１及び１４２と下位パケット転送手段１５１及び１５２の機能を併せ持ったノードである。そして、ＭＡＰ２４１及び２４２は、移動端末１８１及び１８２のＩＰアドレスと移動端末１８１及び１８２の接続しているＡＲ２７１及び２７２のアドレスのバインディング情報を管理する機能と、ＨＡ２２１に移動端末１８１及び１８２の位置情報を登録する機能と、移動端末１８１及び１８２から送信されたパケットをＨＡ２２１へカプセル化して転送する機能と、移動端末１８１及び１８２のＩＰアドレス宛のパケットをＡＲ２７１及び２７２へ転送する機能と、移動端末１８１及び１８２のＩＰアドレス宛のパケットを代理受信する機能とを具備する。【００６８】
ＧＷ２６１及び２６２は、モバイルネットワーク１０に接続している移動端末１８１及び１８２が外部網に存在する端末と通信する際のゲートウェイで、ファイアーウォール機能を具備する。【００６９】
ＡＲ２７１及び２７２は、ＭＡＰ２４１及び２４２に移動端末１８１及び１８２の位置情報を登録する機能と、移動端末１８１及び１８２から送信されたパケットをＭＡＰ２４１及び２４２へカプセル化して転送する機能と、移動端末１８１及び１８２のＩＰアドレス宛のパケットを移動端末１８１及び１８２へ転送する機能とを具備する。【００７０】
移動端末１８１及び１８２は、ともにホームリンク１１１と同じプリフィクスを持つＩＰアドレスを保持する端末であり、それぞれＡＲ２７１及び２７２を介してホームリンク１１１、外部リンク１１２に接続している。【００７１】
次に、図８、図９を参照して本実施例における全体の動作について詳細に説明する。図８は、本実施例の移動通信管理システムにおける移動端末の位置登録動作の流れを示したシーケンス図で、ホームリンク１１１に接続している移動端末１８１がＭＡＰ２４１を介してＨＡ２２１に位置登録を行う手順を表している。【００７２】
まず、移動端末１８１がＡＲ２７１に接続すると、ＡＲ２７１は、ＭＡＰ２４１に対して、移動端末１８１のＩＰアドレスとＡＲ２７１のアドレスのバインディング情報を含んだ位置登録要求を送信する。【００７３】
ＭＡＰ２４１は、位置登録要求を受信した後、移動端末１８１のＩＰアドレスとＡＲ２７１のアドレスのバインディング情報についてのキャッシュを生成し、ＨＡ２２１に移動端末１８１のＩＰアドレスとＭＡＰ２４１のアドレスのバインディング情報を含んだ位置登録要求を送信する。【００７４】
ＨＡ２２１は、位置登録要求を受信した後、移動端末１８１のＩＰアドレスとＭＡＰ２４１のアドレスのバインディング情報についてのキャッシュを生成する。ＨＡ２２１は、自身の持つプリフィクスとＭＡＰ２４１のプリフィクスとを比較して、ＭＡＰ２４１がＨＡ２２１と同じホームリンク１１１にあると判断すると、ＭＡＰ２４１にパケット受信権利付与メッセージを送信する。【００７５】
ＭＡＰ２４１はパケット受信権利付与メッセージを受信すると、移動端末１８１宛のパケットのキャプチャ準備を行う。ここで、モバイルネットワークがＩＰｖ６網であれば、キャプチャ準備として、ＭＡＰ２４１は、ホームリンクに対して、ターゲットアドレスに移動端末１８１のＩＰアドレスを使用したＮｅｉｇｈｂｏｒ  Ａｄｖｅｒｔｉｓｅｍｅｎｔメッセージを、リンクローカルスコープの全ノードマルチキャストアドレス（FF02::1）宛に送信する。ＭＡＰ２４１は、パケット受信準備が完了した後、パケット受信権利付与確認メッセージを送信し、ＨＡ２２１にパケット受信準備が完了したことを通知する。【００７６】
ＭＡＰ２２１は、パケット受信権利付与確認メッセージを受信した後、ＭＡＰ２４１に位置登録応答を送信し、移動端末１８１の位置登録が完了したことを通知する。【００７７】
ＭＡＰ２４１は、位置登録応答を受信した後、移動端末１８１宛のパケットをＡＲ２７１宛にカプセル化して送信するように経路設定を行う。そして、経路設定が完了した後、ＭＡＰ２４１がＡＲ２７１に位置登録応答を送信することで位置登録手順が完了する。【００７８】
上記手順により、ホームリンク１１１宛に届いた移動端末１８１宛のパケットは、ＨＡ２２１を介することなく移動端末１８１に転送することができる。【００７９】
図９は、本実施例の移動通信管理システムにおける移動端末の位置登録動作の流れを示したシーケンス図で、ホームリンク１１１に接続していた移動端末１８２が外部リンク１１２にハンドオーバし、ＭＡＰ２４２を介してＨＡ２２１に位置登録を行う手順を表している。【００８０】
まず、移動端末１８２がＡＲ２７２に接続した後、ＡＲ２７２は、ＭＡＰ２４２に移動端末１８２のＩＰアドレスとＡＲ２７２のアドレスのバインディング情報を含んだ位置登録要求を送信する。【００８１】
ＭＡＰ２４２は、位置登録要求を受信した後、移動端末１８２のＩＰアドレスとＡＲ２７２のアドレスのバインディング情報についてのキャッシュを生成し、ＨＡ２２１に移動端末１８２のＩＰアドレスとＭＡＰ２４２のアドレスのバインディング情報を含んだ位置登録要求を送信する。【００８２】
ＨＡ２２１は、位置登録要求を受信した後、移動端末１８２のキャッシュ内容を移動端末１８１のＩＰアドレスとＭＡＰ２４２のアドレスのバインディング情報に変更する。ＨＡ２２１は、自身の持つプリフィクスとＭＡＰ２４２のプリフィクスとを比較して、ＭＡＰ２４２がＨＡ２２１と異なる外部リンク１１２にあると判断すると、それまで移動端末１８２宛のパケットをキャプチャしていたＭＡＰ２４１のパケット受信設定を解除するため、ＭＡＰ２４１にパケット受信権利剥奪メッセージを送信する。【００８３】
ＭＡＰ２４１は、パケット受信権利剥奪メッセージを受信した後、移動端末１８２宛のパケット受信設定を解除して、ＨＡ２２１にパケット受信権利剥奪確認メッセージを送信する。【００８４】
ＨＡ２２１は、パケット受信権利剥奪確認メッセージを受信した後、移動端末１８２宛のパケットのキャプチャ準備を行う。パケット受信準備が完了した後、ＨＡ２２１は、続いて移動端末１８２宛のパケットをＭＡＰ２４２宛にカプセル化して送信するように経路設定を行う。ＨＡ２２１は、経路設定が完了したらＭＡＰ２４２に位置登録応答を送信する。【００８５】
ＭＡＰ２４２は、位置登録応答を受信した後、移動端末１８２宛のパケットをＡＲ２７２宛にカプセル化して送信する設定と、移動端末１８２から送信されたパケットをＨＡ２２１宛にカプセル化して送信する設定の２種類の経路設定を行う。経路設定完了後、ＭＡＰ２４２がＡＲ２７２に位置登録応答を送信することで位置登録手順が完了する。【００８６】
上記手順により、ホームリンク１１１宛に届いた移動端末１８２宛のパケットは、ＨＡ２２１を介して移動端末１８２に転送することができる。【００８７】
本実施例では、先に述べたとおり、パケット受信権利付与メッセージ及びパケット受信権利付与確認メッセージをＨＡ２２１とＭＡＰ２４１間で送受信することで、パケット受信の権利についてＨＡ２２１とＭＡＰ２４１の間でやり取りを行っているが、パケット受信権利付与メッセージ及びパケット受信権利付与確認メッセージを使用せずに、ＭＡＰ２４１が位置登録応答を受信したことでＭＡＰ２４１にパケット受信の権利を付与するというように構成してもよい。【００８８】
また、本実施例では、２段階の階層構成について説明したが、２段よりも多くの段数で階層化を行ってもよく、その場合には、中間ノードは上位位置管理手段の諸機能に加え、自身より１段上位にあるノードに対して移動端末の位置情報を登録する機能を有する。
【実施例２】
【００８９】
次に、本発明の第２の実施例について、図１０、図１１を参照して説明する。本実施例は、上述した実施形態２に対応し、同実施形態をさらに詳細に説明するためのものである。【００９０】
図１０は、本実施例の移動通信管理システムの構成を示した図である。本実施例の移動通信管理システムは、ＨＳＳ（Home Subscriber Server）３２１と、ＧＧＳＮ（Gateway GPRS Support Node）３４１と、ＳＧＳＮ（Serving GPRS Support Node）３７１と、ＰＤＧ（Packet Data Gateway）３４２と、ＡＮ（Access Network）３７２と、ＧＷ２６１と、移動端末１８１とから構成されている。これら構成要素によりモバイルネットワーク１０を構成し、さらにモバイルネットワーク１０はホームリンク１１１で構成される。【００９１】
ＨＳＳ３２１、ＧＧＳＮ３４１、ＰＤＧ３４２、及びＧＷ２６１は、ホームリンク１１１に存在する。【００９２】
ＨＳＳ３２１は、実施形態２における上位位置管理手段１２１の機能を持ったノードである。そして、ＨＳＳ３２１は、端末１８１のＩＰアドレスと移動端末１８１を管理しているＧＧＳＮ３４１あるいはＰＤＧ３４２のアドレスのバインディング情報移動を管理する機能と、ＧＧＳＮ３４１とＰＤＧ３４２にパケット代理受信権限の付与／剥奪を行う機能とを具備する。【００９３】
ＧＧＳＮ３４１は、実施形態２における下位位置管理手段１４１と下位パケット転送手段１５１の機能を併せ持ったノードである。そして、ＧＧＳＮ３４１は、移動端末１８１のＩＰアドレスと移動端末１８１の接続しているＳＧＳＮ３７１のアドレスのバインディング情報を管理する機能と、ＨＳＳ３２１に移動端末１８１の位置情報を登録する機能と、移動端末１８１のＩＰアドレス宛のパケットをＳＧＳＮ３７１へ転送する機能と、移動端末１８１のＩＰアドレス宛のパケットを代理受信する機能とを具備する。【００９４】
ＰＤＧ３４２は、実施形態２における下位位置管理手段１４１と下位パケット転送手段１５１の機能を併せ持ったノードである。そして、ＰＤＧ３４２は、移動端末１８１のＩＰアドレスと移動端末１８１の接続しているＡＮ３７２が移動端末１８１に払い出した在圏ＩＰアドレスのバインディング情報を管理する機能と、ＨＳＳ３２１に移動端末１８１の位置情報を登録する機能と、移動端末１８１のＩＰアドレス宛のパケットをＡＮ３７２が移動端末１８１に払い出した在圏ＩＰアドレスへ転送する機能と、移動端末１８１のＩＰアドレス宛のパケットを代理受信する機能とを具備する。【００９５】
次に、図１１を参照して本実施例における全体の動作について詳細に説明する。図１１は、本実施例の移動通信管理システムにおける移動端末のハンドオーバの流れを示したシーケンス図で、ホームリンク１１１に接続している移動端末１８１がＳＧＳＮ３７１からＡＮ３７２にハンドオーバを行う手順を表している。【００９６】
まず、移動端末１８１がＡＮ３７２に接続すると、ＡＮ３７２は、ＰＤＧ３４２に移動端末１８１のＩＰアドレスとＡＮ３７２が移動端末１８１に払い出した在圏ＩＰアドレスのバインディング情報を含んだ位置登録要求（図のＩＰｓｅｃトンネル確立要求）を送信する。【００９７】
ＰＤＧ３４２は、位置登録要求を受信した後、移動端末１８１のＩＰアドレスとＡＮ３７２が移動端末１８１に払い出した在圏ＩＰアドレスのバインディング情報についてのキャッシュを生成し、ＨＳＳ３２１に移動端末１８１のＩＰアドレスとＰＤＧ３４２のアドレスのバインディング情報を含んだ位置登録要求を送信する。【００９８】
ＨＳＳ３２１は、位置登録要求を受信した後、移動端末１８１のキャッシュ内容を移動端末１８１のＩＰアドレスとＰＤＧ３４２のアドレスのバインディング情報に変更する。ＨＳＳ３２１は、位置登録要求受信前にキャッシュに登録されていたＧＧＳＮ３４１のアドレスと位置登録要求受信後にキャッシュに登録されているＰＤＧ３４２のアドレスとを比較して、位置登録要求受信前後でアンカーノードが変わったことを検知すると、ＧＧＳＮ３４１にパケット受信権利剥奪メッセージを送信する。【００９９】
ＧＧＳＮ３４１は、パケット受信権利剥奪メッセージを受信した後、移動端末のＩＰアドレス宛のパケット受信設定を解除して、ＨＳＳ３２１にパケット受信権利剥奪確認メッセージを送信する。そして、ＧＧＳＮ３４１は、該メッセージ送信後にトンネル削除処理を行い、ＧＧＳＮ３４１に確立されたトンネルを削除する。【０１００】
ＨＳＳ３２１は、パケット受信権利剥奪確認メッセージを受信した後、続いてＰＤＧ３４２にパケット受信権利付与メッセージを送信する。【０１０１】
ＰＤＧ３４２は、パケット受信権利付与メッセージを受信した後、移動端末１８１宛のパケットのキャプチャ準備を行う。ＰＤＧ３４２は、パケット受信準備が完了した後、ＨＳＳ３２１にパケット受信権利付与確認メッセージを送信してパケット受信準備が完了したことを通知する。【０１０２】
ＨＳＳ３２１は、パケット受信権利付与確認メッセージを受信した後、ＰＤＧ３４２に位置登録応答を送信して移動端末１８１の位置登録が完了したことを通知する。【０１０３】
ＰＤＧ４２は、位置登録応答を受信した後、ＡＮ３７２が移動端末１８１に払い出した在圏ＩＰアドレス宛に移動端末１８１宛のパケットをカプセル化して送信するように経路設定を行う。経路設定完了後、ＰＤＧ３４２がＡＮ３７２を介して移動端末１８１に位置登録応答を送信して位置登録手順が完了する。【０１０４】
上記手順により、ホームリンク１１１宛に届いた移動端末１８１宛のパケットは、ＧＧＳＮ３４１を介することなく移動端末１８１に転送することができる。【０１０５】
本実施例では、異種アクセス網間でハンドオーバが行われたことを契機に、アクセス網に応じたアンカーノードに切替えを行っているが、移動端末に提供するサービス内容が変化したことを契機に、サービスに特化したアンカーノードに切替えを行うように構成してもよい。例として、移動端末がＰＡＮ（Personal Area Network）を構築しているときはＰＡＮサービス専用のアンカーノードを使用し、ＰＡＮを構築していないときには通常のＨＡを使用することが挙げられる。【０１０６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。【０１０７】
本発明は、オペレータ網内とオペレータ網間で別々に移動管理を行う階層化移動管理システムといった用途に適用できる。また、異種アクセス網間ハンドオーバ時にアクセス方式に応じたアンカーノード切替えといった用途にも適用可能である。
【図面の簡単な説明】
【０１０８】
【図１】従来の移動通信管理システムの構成を示した図である。
【図２】本発明の実施形態に係る移動通信管理システムの構成を示した図である。
【図３】本発明の実施形態に係る移動通信管理システムにおける移動端末の位置登録動作の流れを示したシーケンス図である。
【図４】本発明の実施形態に係る移動通信管理システムにおける移動端末の位置登録動作の流れを示したシーケンス図である。
【図５】本発明の実施形態に係る移動通信管理システムの構成を示した図である。
【図６】本発明の実施形態に係る移動通信管理システムにおける移動端末の位置登録動作の流れを示したシーケンス図である。
【図７】本発明の実施形態に係る移動通信管理システムの構成を示した図である。
【図８】本発明の実施形態に係る移動通信管理システムにおける移動端末の位置登録動作の流れを示したシーケンス図である。
【図９】本発明の実施形態に係る移動通信管理システムにおける移動端末の位置登録動作の流れを示したシーケンス図である。
【図１０】本発明の実施形態に係る移動通信管理システムの構成を示した図である。
【図１１】本発明の実施形態に係る移動通信管理システムにおける移動端末の位置登録動作の流れを示したシーケンス図である。
【符号の説明】
【０１０９】
１０    モバイルネットワーク
１１    ホーム網
１２    在圏網
２１，２２１    ＨＡ（Home Agent）
３１，３２，２４１，２４２    ＭＡＰ（Mobility Anchor Point）
４１，４２，２７１，２７２    ＡＲ（Access Router）
５１，５２，２６１，２６２    ＧＷ（Gateway）
６１，６２    移動端末
１１０    最上位ネットワーク
１１１    ホームリンク
１１２    外部リンク
１２１    上位位置管理手段
１３１    上位パケット転送手段
１４１，１４２    下位位置管理手段
１５１，１５２    下位パケット転送手段
１６１，１６２    ＧＷ手段
１７１，１７２    ＡＲ手段
１８１，１８２    移動端末
３２１    ＨＳＳ（Home Subscriber Server）
３４１    ＧＧＳＮ（Gateway GPRS Support Node）
３４２    ＰＤＧ（Packet Data Gateway）
３７１    ＳＧＳＮ（Serving GPRS Support Node）
３７２    ＡＮ（Access Network）
【図１】
2007135844.tif 000003
【図２】
2007135844.tif 000004
【図３】
2007135844.tif 000005
【図４】
2007135844.tif 000006
【図５】
2007135844.tif 000007
【図６】
2007135844.tif 000008
【図７】
2007135844.tif 000009
【図８】
2007135844.tif 000010
【図９】
2007135844.tif 000011
【図１０】
2007135844.tif 000012
【図１１】
2007135844.tif 000013
【国際調査報告】
2007135844.tif 000014
2007135844.tif 000015